(57)【要約】【課題】最尤復号の参照レベルと等化信号のピークレベルとのずれを補正するべく等化信号のゲインを適宜補正し、信頼性の高い情報再生装置を提供する。【解決手段】検出部が検出した検出信号にパーシャルレスポンス等化を行って等化信号を出力する等化フィルタ１７と、最尤復号の際に用いる複数の参照レベルＬＶ０〜ＬＶ６と、これらに対応する等化信号のヒストグラムの複数のピークレベルＬＰ０〜ＬＰ６とに基づいて決定した補正量Ｇ（Ｔ）により、等化信号の電位を補正する可変ゲインアンプ１６と、補正した等化信号に基づいて参照レベルを参照することで最尤復号を行う最尤復号器とを有する情報再生装置であり、参照レベルに対する等化信号の信号振幅を適切な値に制御し、より信頼性の高い復号処理を行う。【選択図】    図１
2004234785.tif 000002
【特許請求の範囲】
【請求項１】
記録媒体に記録されている情報を読み出して最尤復号を行う情報再生装置であって、
前記記録媒体に記録された情報を検出して再生信号を出力する検出部と、
前記検出部が検出した前記検出信号にパーシャルレスポンス等化を行って、等化信号を出力する等化部と、
前記最尤復号の際に用いる複数の参照レベルに基づいて決定した補正量により、前記等化部から出力された等化信号の電位を補正する補正部と、
前記補正部が補正した前記等化信号に基づいて、前記参照レベルを参照することで最尤復号を行い、復号信号を出力する最尤復号部と、
を具備することを特徴とする情報再生装置。
【請求項２】
前記補正部が決定する補正量は、前記最尤復号の際に用いる複数の参照レベルが小さいレベルからＬＶ（１），ＬＶ（２），……，ＬＶ（ｎ−１），ＬＶ（ｎ）とし、これらの参照レベルに対応する前記等化部により出力された等化信号のヒストグラムの複数のピークレベルが補正された値が小さい方からＬＰ（１），ＬＰ（２），……，ＬＰ（ｎ−１），ＬＰ（ｎ）としたとき、ＬＰ（１）＝ＬＶ（１）−α（ただし、αは定数）、又は、
ＬＰ（ｎ）＝ＬＶ（ｎ）＋α
の少なくとも一方を満たす値に決定され、
前記補正部が前記補正量に基づいて前記参照レベルに対する前記等化信号の信号振幅を変化させることを特徴とする請求項１記載の情報再生装置。
【請求項３】
前記補正部が決定する補正量は、前記定数αが前記最尤復号の際に用いる複数の参照レベルの間隔が示す値ＬＶｄに等しいことを特徴とする請求項２記載の情報再生装置。
【請求項４】
前記補正部が決定する補正量は、前記最尤復号の際に用いる複数の参照レベルと、これらの参照レベルに対応する前記等化部により出力された等化信号のヒストグラムの複数のピークレベルが補正された値との少なくとも一つが一致するような値に決定されることを特徴とする請求項１記載の情報再生装置。
【請求項５】
前記補正部が決定する補正量は、前記最尤復号の際に用いる複数の参照レベルの中央の参照レベルに隣り合った左右の参照レベルと、前記中央の参照レベルに隣り合った左右の参照レベルに対応する前記等化信号の複数のピークレベルが補正された値との少なくとも一つが一致するような値に決定されることを特徴とする請求項１記載の情報再生装置。
【請求項６】
前記補正部が決定する補正量は、前記等化信号のヒストグラムが前記参照レベルの中央の参照レベルに対応するピークレベルに対して密の部分と疎の部分とをもつアシンメトリを有するとき、前記最尤復号の際に用いる複数の参照レベルの中央の参照レベルに隣り合った左右の参照レベルの内，前記分布が密である側の参照レベルと、これに対応するピークレベルが補正された値とが一致するような値に決定されることを特徴とする請求項１記載の情報再生装置。
【請求項７】
前記補正部が決定する補正量は、前記最尤復号の際に用いる複数の参照レベルの中央の参照レベルから左右二つ目に設けられる参照レベルと、前記中央の参照レベルから左右二つ目に設けられる参照レベルに対応する前記等化信号の複数のピークレベルが補正された値との少なくとも一つが一致するような値に決定されることを特徴とする請求項１記載の情報再生装置。
【請求項８】
前記補正部が決定する補正量は、前記等化信号のヒストグラムが前記参照レベルの中央の参照レベルに対応するピークレベルに対して密の部分と疎の部分とをもつアシンメトリ成分を有するとき、前記最尤復号の際に用いる複数の参照レベルの中央の参照レベルから左右二つ目に設けられる参照レベルの内，前記分布が密である側の参照レベルと、これに対応するピークレベルが補正された値とが一致するような値に決定されることを特徴とする請求項１記載の情報再生装置。
【請求項９】
前記補正部は、前記最尤復号の際に用いる複数の参照レベルが小さいレベルからＬＶ（１），ＬＶ（２），……，ＬＶ（ｎ−１），ＬＶ（ｎ）とし、これらの参照レベルに対応する前記等化部により出力された等化信号のヒストグラムの複数のピークレベルが補正された値が小さい方からＬＰ（１），ＬＰ（２），……，ＬＰ（ｎ−１），ＬＰ（ｎ）としたとき、
前記最尤復号の際に用いる複数の参照レベルの間隔が示す値ＬＶｄを用いて、前記等化信号に関し、ＬＰ（１）−１／２ＬＶｄ乃至ＬＶ（ｎ）＋１／２ＬＶｄの範囲の信号へと出力制限することを特徴とする請求項１記載の情報再生装置。
【請求項１０】
前記補正部は、外部信号に応じて増幅率が変えられる可変ゲインアンプを用いて補正が行われることを特徴とする請求項１記載の情報再生装置。
【請求項１１】
記録媒体に記録されている情報を読み出して最尤復号を行う情報再生方法であって、
前記記録媒体に記録された情報を検出して再生信号を出力し、
前記検出した前記検出信号にパーシャルレスポンス等化を行って、等化信号を出力し、
前記最尤復号の際に用いる複数の参照レベルに基づいて決定した補正量により、前記等化信号の電位を補正し、
前記補正した前記等化信号に基づいて、前記参照レベルを参照することで最尤復号を行い、復号信号を出力することを特徴とする情報再生方法。
【発明の詳細な説明】
【０００１】
【発明の属する技術分野】
本発明は、情報再生装置に関し、特にＰＲＭＬ（Ｐａｒｔｉａｌ  Ｒｅｓｐｏｎｓｅ  ａｎｄ  Ｍａｘｉｍｕｍ  Ｌｉｋｅｌｉｈｏｏｄ）方式を用いて復号処理を行う情報再生装置及び情報再生方法に関する。
【０００２】
【従来の技術】
最近、ＤＶＤ（Ｄｉｇｉｔａｌ  Ｖｅｒｓａｔｉｌｅ  Ｄｉｓｃ）などの光ディスク等の記録媒体に対する記録再生処理を行う情報記録再生装置が広く普及してきており、様々な方式でより高い記録密度が要求されてきている。これに対して、例えば、光ディスク等の情報記録再生方法の方式として、ＰＲＭＬ方式がある。
【０００３】
このＰＲＭＬ信号処理方式では、ピックアップヘッドにより検出された光ディスク上の情報に対応した再生信号を、等化器によりパーシャルレスポンス等化して等化信号を得て、等化信号を最尤復号することにより光ディスク上の情報を再生する方式である。
【０００４】
最尤復号器では等化信号と理想信号とのユークリッド距離を計算し、最も近い理想信号を出力するビット列に復号する。このようなＰＲＭＬ信号処理では等化信号でのレベルにより最尤復号器により復号されるビット列のビット誤り率が依存してしまうため、等化信号のレベル、即ち信号振幅を制御することが一つの課題である。
【０００５】
これに関連した従来技術として、等化信号の振幅を制御する振幅制御回路が、等化器と最尤復号を行う目標波形との差に基づいて振幅制御を行っているデジタル機器が示されている（例えば、特許文献１参照）。
【０００６】
【特許文献１】
特開平９−４４９９８号公報。
【０００７】
【発明が解決しようとする課題】
ところが、この従来技術においては、ＰＲＭＬ信号処理では、正誤のビット列のユークリッド距離が近いビット列ほど誤りを起こしやすいという特徴をもっている。このようなビット列は一般的に、２Ｔ等の最短連続ビットを含むビット列である。このビット誤りの一因となる最尤復号で用いられる参照レベルと、等化信号のピークレベルのずれは、参照レベルと等化信号とのヒストグラムにおいて知ることができる。特に、２Ｔ等の最短連続ビットにおいて、参照レベルと等化信号のピークレベルとのずれが生じることにより、後段の最尤復号器の復号処理において、ビット誤りが生じやすいという問題がある。
【０００８】
本発明は、最尤復号の参照レベルと等化信号のピークレベルとのずれを補正するべく、等化信号のゲインを適宜補正することによりビット誤りを解消して信頼性の高い情報再生装置及び情報再生方法を提供することを目的とする。
【０００９】
【課題を解決するための手段】
本発明は上記課題を解決するべく、記録媒体に記録されている情報を読み出して最尤復号を行う情報再生装置であって、前記記録媒体に記録された情報を検出して再生信号を出力する検出部と、前記検出部が検出した前記検出信号にパーシャルレスポンス等化を行って、等化信号を出力する等化部と、前記最尤復号の際に用いる特定の複数の参照レベルに基づいて決定した補正量により、前記等化部から出力された等化信号の電位を補正する補正部と、前記補正部が補正した前記等化信号に基づいて、前記参照レベルを参照することで最尤復号を行い、復号信号を出力する最尤復号部とを具備することを特徴とする情報再生装置を提供する。
【００１０】
本発明に係る情報再生装置は、上述した構成により、最尤復号で用いる特定の複数の参照レベルと、これらの特定の参照レベルに対応した、等化器の出力である等化信号のピークレベルとの関係が所望の条件を満たすように、等化信号を最適値で増幅することにより、後段の最尤復号器での復号処理でのビット誤りが発生し易い状況を解消するものである。すなわち、後述する最尤復号の参照レベルと等化信号のピークレベルとのずれを補正するべく、例えば、ＰＲ（１，２，２，１）における、特に、２Ｔ等の判断を行うためのヒストグラムの２Ｔ信号振幅に対応したピークレベルＬＰ２，ＬＰ４を、２Ｔ信号振幅に対応した参照レベルＬＶ２，ＬＶ４とほぼ一致した電位とするべく、等化器の出力である等化信号を適切な増幅率で増幅するものである。これにより、最尤復号器での、復号処理の際に、誤判断を起こしにくくなり、より確実な復号処理を可能とするものである。
【００１１】
又、これらの補正処理は、参照レベルＬＶ２，ＬＶ４だけを対象とするものではなく、例えば、ＰＲ（１，２，２，１）における、参照レベルＬＶ１，ＬＶ５に対応するピークレベルＬＰ１，ＬＰ５がそれぞれの参照レベルに一致するべく、補正量（増幅率）を決定することも可能である。
【００１２】
【発明の実施の形態】
以下に、本発明に係る情報再生装置及び情報再生方法を、光ディスク記録再生装置を一例として図面を参照して詳細に説明する。なお、この実施形態では光ディスク記録再生装置の例をあげて説明したが、対象とする記録媒体は光ディスクには限らず、例えば光磁気ディスク等の記録媒体であれば、同等の原理に基づき同等の作用効果を生じるものである。
【００１３】
＜第１実施形態＞
第１実施形態は、等化器からの等化信号がビタビ復号の参照レベルに対応するべく補正するため、例えば、ヒストグラムの参照レベルＬＶ０とＬＶ６とにおける等化信号波形の拡張量がビタビ復号器の各参照レベルの差ＬＶｄとなるような補正処理を行うことで、復号誤りが低減される情報再生装置及び情報再生方法を提供するものである。
【００１４】
（本発明に係る光ディスク装置の構成）
図１は本発明に係る光ディスク装置の要部の一例を示すブロック図、図２はその全体構成の一例を示すブロック図である。
図２において、本発明に係る光ディスク装置Ａは光ディスクＤに対するデータ記録又はデータ再生を行うものである。上記光ディスク装置Ａは、ディスクカートリッジに収納された光ディスクＤを搬送するトレー３２と、このトレーを駆動するモータ３３と、光ディスクＤを保持するクランパ３４と、これにより保持された光ディスクＤを所定回転数で回転させるスピンドルモータ３５とを有している。更に、制御部として全体の動作制御を行うＣＰＵ４６と、この制御動作の基本的なプログラム等を格納するＲＯＭ４７と、各制御プログラムやアプリケーションデータ等を書替可能に格納するＲＡＭ４８とが制御バスを介して接続されている。更に、これらのＣＰＵ４６等の制御部にそれぞれ接続されて、ピックアップＰＵの搬送を行う送りモータ３６と、ピックアップのフォーカスやトラッキング制御を行うフォーカス／トラッキングアクチュエータドライバ／送りモータドライバ４０、更にスピンドルモータ３５を駆動するスピンドルモータドライバ４１、トレーモータを駆動するトレーモータドライバ４２がそれぞれ設けられている。
【００１５】
又、更に、ピックアップヘッドＰＵＨに接続され検出信号を増幅するプリアンプ１２と、サーボアンプ３８，更に、シーク動作を行うためのシーク信号をドライバに供給するサーボシーク制御ユニット３９とを有している。更に、ピックアップヘッドＰＵＨとプリアンプ１２、サーボシーク制御ユニット３９等に接続され、検出信号及び記録信号を処理するためのデータ処理ユニット１、この各種処理に用いるデータを格納するためのＲＡＭ４３が設けられている。このデータ処理ユニット１からの信号を外部装置との間で送受信するべく、インタフェース制御部４５がＲＡＭ４４を伴って設けられている。
【００１６】
このような光ディスク装置において、本発明では更に図１に示すような構成を含むデータ処理ユニット１とすることで、最尤復号の参照レベルと等化信号のピークレベルとのずれを補正するべく、例えば、特に、２Ｔ等の判断を行うためのヒストグラム中央のピークレベルＬＰ２，ＬＰ４を、参照レベルＬＶ２，ＬＶ４とほぼ一致した電位とするべく、等化器の出力である等化信号を適切な増幅率で増幅するものである。これにより、最尤復号器での、等化信号と参照レベルとの比較処理の際に誤判断を起こすことなく、確実な復号処理を可能とするものである。
【００１７】
（光ディスク装置の基本動作）
このような構成を有する本発明の実施に設けられる光ディスク装置は、以下のように光ディスクの再生処理及び記録処理を行う。すなわち、光ディスクＤが光ディスク装置Ａへ装填されると、ピックアップヘッドＰＵＨとデータ処理ユニット１を用いて、光ディスクＤのリードインエリアのエンボスデータゾーン内のコントロールデータゾーンに記録されている光ディスクＤの制御情報が読み取られ、ＣＰＵ４６に供給されるようになっている。
【００１８】
本発明の光ディスク装置Ａでは、ユーザの操作による操作情報や光ディスク内のコントロールデータゾーンに記録されている光ディスクＤの制御情報、現在のステータス等に基づいて、ＣＰＵ４６の制御下において、図示しないレーザ制御ユニットによって付勢されてレーザビームを発生する。
【００１９】
発生したレーザビームは、対物レンズ３１により収束され、ディスクの記録領域へと照射される。これにより、光ディスクＤの記憶領域にデータが記録され（マーク列の生成：可変長のマークとマークの間隔と、可変長の各マークの長さにより光ディスクＤにデータが記録される）、或いは、格納されているデータに対応する強度の光が反射されこれが検出されて、このデータの再生が行われる。
【００２０】
図２ではピックアップヘッドＰＵＨに含まれるレーザ制御ユニットは、データ処理ユニット１によってその設定がセットされるが、その設定は、再生信号Ｒｆを得る再生パワー、データを記録する記録パワー及びデータを消去する消去パワーで異なっている。レーザビームは、再生パワー、記録パワー及び消去パワーの３つのパワーでそれぞれ異なるレベルのパワーを有し、それぞれのパワーのレーザビームが発生されるように半導体レーザユニットがレーザ制御ユニットによって付勢される。
【００２１】
このレーザ制御ユニットは、図示しない抵抗とトランジスタにより構成され、電源電圧が抵抗とトランジスタと半導体レーザユニットとしての半導体レーザに印加されるようになっている。これにより、トランジスタのベース電流により増幅率が異なり、半導体レーザ発振器に異なる電流が流れ、強度の異なったレーザビームが発生されるようになっている。ここでは、光ディスク１枚１枚の特性に応じて記録波形補償がなされ、記録波形生成回路１１から出力される記録波形パルスＷに応じてレーザパワーが発生され、光ディスクへの記録処理がなされるようになっている。
【００２２】
又、光ディスクＤが対物レンズ３１に対向して配置されるように、この光ディスクＤは、直接或いはディスクカートリッジに収納されてトレー３２によって装置内に搬送される。このトレー３２を駆動するためのトレーモータ３３が装置内に設けられている。又、装填された光ディスクＤは、クランパ３４によって回転可能にスピンドルモータ３５上に保持され、このスピンドルモータ３５によって所定回転数に回転される。
【００２３】
ピックアップヘッドＰＵＨは、その内にレーザビームを検出する光検出器（図示せず）を有している。この光検出器は、光ディスクＤで反射されて対物レンズ３１を介して戻されたレーザビームを検出する。光検出器からの検出信号（電流信号）は、電流／電圧変換器（Ｉ／Ｖ）で電圧信号に変換され、この信号は、プリアンプ１２及びサーボアンプ３４に供給される。プリアンプ１２からは、ヘッダ部のデータの再生用と記録領域のデータの再生用信号がデータ処理ユニット１に出力される。サーボアンプ３４からのサーボ信号（トラックエラー信号、フォーカスエラー信号）は、サーボシーク制御ユニット３９に出力される。
【００２４】
ここで、フォーカスずれ量を光学的に検出する方法としては、たとえば次のような非点収差法やナイフエッジ法がある。
【００２５】
非点収差法、すなわち、光ディスクＤの光反射膜層又は光反射性記録膜で反射されたレーザ光の検出光路に非点収差を発生させる光学素子（図示せず）を配置し、光検出器上に照射されるレーザ光の形状変化を検出する方法である。光検出領域は対角線状に４分割されている。各検出領域から得られる検出信号に対し、サーボシーク制御ユニット３９内で対角和間の差を取ってフォーカスエラー検出信号（フォーカス信号）を得る。
【００２６】
ナイフエッジ法、すなわち、光ディスクＤで反射されたレーザ光に対して非対称に一部を遮光するナイフエッジを配置する方法である。光検出領域は２分割され、各検出領域から得られる検出信号間の差を取ってフォーカスエラー検出信号を得る。
【００２７】
通常、上記非点収差法あるいはナイフエッジ法のいずれかが採用される。
【００２８】
光ディスクＤはスパイラル状又は同心円状のトラックを有し、トラック上に情報が記録される。このトラックに沿って集光スポットをトレースさせて情報の再生又は記録／消去を行う。安定して集光スポットをトラックに沿ってトレースさせるため、トラックと集光スポットの相対的位置ずれを光学的に検出する必要がある。
【００２９】
又、トラックずれ検出方法としては一般に、次の位相差検出法、プッシュプル法、ツインスポット法等があり、これらが用いられる。
【００３０】
このようなフォーカス制御及びトラック制御により、サーボシーク制御ユニット３９からフォーカス信号、トラッキング信号及び送り信号がフォーカス及びトラッキングアクチュエータドライバ並びに送りモータドライバ４０に送られ、このドライバ４０によって対物レンズ３１がフォーカスサーボ制御され、又、トラッキングサーボ制御される。更に、アクセス信号に応じてドライバ４０から付勢信号が送りモータ３６に供給されピックアップヘッドＰＵＨが搬送制御される。
【００３１】
又、サーボシーク制御ユニット３９は、データ処理ユニット１によって制御される。例えば、データ処理ユニット１からアクセス信号がサーボシーク制御ユニット３９に供給されて送り信号が生成される。
【００３２】
又、データ処理ユニット１からの制御信号でスピンドルモータドライバ４１及びトレーモータドライバ４２が制御され、スピンドルモータ３５及びトレーモータ３３が付勢され、スピンドルモータ３５が所定回転数で回転され、トレーモータ３３がトレーを適切に制御することとなる。
【００３３】
データ処理ユニット１に供給されたヘッダ部のデータに対応する再生信号Ｒｆは、ＣＰＵ４６に供給される。これによりＣＰＵ４６は、その再生信号Ｒｆによりヘッダ部のアドレスとしてのセクタ番号を判断し、アクセスする（データを記録するあるいは記録されているデータを再生する）アドレスとしてのセクタ番号との比較を行うようになっている。
【００３４】
データ処理ユニット１に供給された記録領域のデータに対応する再生信号Ｒｆは、ＲＡＭ４８に必要なデータが格納され、再生信号Ｒｆがこのデータ処理ユニット１で処理されてインタフェース制御部４５に供給され、例えばパーソナルコンピュータ等の外部装置に再生処理信号が供給される。
【００３５】
（本発明に係る等化信号の最適化を伴うビタビ復号処理）
次に本発明の特徴である、等化信号の最適化処理について、図面を用いて以下に詳細に説明する。図１は、本発明の第１実施形態である光ディスク装置のブロック図、図３は、パラメータ制御部１５の一例を示すブロック図、図４は、ＦＩＲフィルタとビタビ復号器との一例を示すブロック図、図５は、理想波形生成器とレベルデテクタとの一例を示すブロック図である。
【００３６】
図１に示される本発明に係る情報再生装置の要部は、図２のデータ処理ユニット１の構成の一部とその周辺の構成を示すものである。図２との共通した構成は説明を省略し、図１に固有な構成だけを以下に説明する。すなわち、ピックアップヘッドＰＵＨは、対物レンズＯＬを有しており、サーボブロック１３からの駆動信号を受けて対物レンズアクチュエータ１１により駆動する。データ処理ユニット１は、ピックアップヘッドＰＵＨから検出され、検出信号の等化処理を行うトランスバーサルフィルタであるＦＩＲフィルタ１７と、本発明の特徴である等化信号の最適化処理を行うＶＧＡ（Ｖａｒｉａｂｌｅ  Ｇａｉｎ  Ａｍｐｌｉｆｉｅｒ）である可変ゲインアンプ１６と、これに接続されここから等化信号Ｅｑ（Ｔ）を受けるビタビ復号器１８とを有する。更にパラメータ制御部１５は、可変ゲインアンプ１６からの補正された等化信号Ｅｑｇ（Ｔ）を受け、ビタビ復号器１８から復号化信号Ｄ（Ｔ）を受けて、タップ係数Ｃ（ｎ，Ｔ）をＦＩＲフィルタ１７へ供給し、ゲイン信号Ｇ（Ｔ）を可変ゲインアンプ１６へと供給する。なお、パラメータ制御部１５は、後述するように、ビタビ復号器１８からの復号信号Ｄ（Ｔ）を受けて、理想波形信号Ｉ（Ｔ）を生成するための理想波形生成器１９と、理想波形生成器１９から理想波形信号Ｉ（Ｔ）を受けこれに特定の参照レベルが出力されるタイミングに応じたゲート信号Ｔを生成するレベルデテクタ２０とを有しており、図１に示したＣＰＵ４６により動作制御されるものである。
【００３７】
又、パラメータ制御部１５は、図３において、ビタビ復号器１８から復号データＤ（Ｔ）が供給される理想波形成形器１９と、この出力が接続されるレベルデテクタ２０とを有しており、レベルデテクタ２０の出力がセレクタ６２に供給される。一方、可変ゲインアンプ１６の補正された等化信号Ｅｑｇ（Ｔ）がディレイ回路６１を介してセレクタ６２に供給される。そして、セレクタの出力ＬＰ（ｍａｘ，Ｔ）とＬＰ（ｍｉｎ，Ｔ）とがそれぞれ平均算出部６３，６４に供給される。これらの出力が加算器に供給され振幅情報Ａ（Ｔ）が出力され、この振幅情報Ａ（Ｔ）が更にゲイン算出器６５に供給される。ゲイン算出器６５の出力であるゲイン信号Ｇ（Ｔ）は、上述した可変ゲインアンプ１６に供給され、これにより、可変ゲインアンプ１６において後述する等化信号の適正な増幅処理がなされる。
【００３８】
又、ＦＩＲフィルタ１７は、図４に示すように、再生信号Ｒｆ（Ｔ）を受け、順次、これに所定の遅延を施すライン数分のディレイ回路５７と、パラメータ制御部１５からのタップ係数Ｃ（ｎ，Ｔ）を受け、これらに応じて、遅延された再生信号Ｒｆ（Ｔ）を適正に増幅して加算器５９にて加算し、等化信号Ｅｑ（Ｔ）を出力するものである。この等化信号Ｅｑ（Ｔ）を受けた可変ゲインアンプ１６により適正に補正された等化信号Ｅｑｇ（Ｔ）は、更に、ビタビ復号器１８に供給される。
【００３９】
ビタビ復号器１８は、レベル数に対応するブランチメトリック回路（Ｂｒａｎｃｈ  Ｍｅｔｒｉｃ）７１を有しており、これらの出力はＡＣＳ回路（Ａｄｄ  Ｃｏｍｐａｒｅ  Ｓｅｌｅｃｔｏｒ）７３に供給され、ＡＣＳ回路７３の出力はパスメトリックメモリ（ＰａｔｈｍｅｔｒｉｃＭｅｍｏｒｙ）７２に供給される。この出力はパスセレクタ（Ｐａｓｓ  Ｓｅｌｅｃｔｏｒ）７５に供給され、一方、ＡＣＳ回路７３の出力がパスメモリ（Ｐａｔｈ  Ｍｅｍｏｒｙ）７４を経由してパスセレクタ７５に供給され、復号信号Ｄ（Ｔ）を得る。
【００４０】
すなわち、ビタビ復号器１８においては、参照レベルＬＶ０〜ＬＶ６に基づいて、供給される等化信号Ｅｑｇ（Ｔ）がブランチメトリック回路７１により差分が求められる。求められた差分信号がＡＣＳ回路７３に供給され、パスメトリックメモリ７２、パスメモリ７４を介して、パスセレクタ７５により、供給された等化信号Ｅｑｇ（Ｔ）の復号信号Ｄ（Ｔ）を得る。
【００４１】
更に、図３に示した理想波形生成器１９及びレベルデテクタ２０は、図５において詳述され、理想波形生成器１９は、ビタビ復号器１８から復号信号Ｄ（Ｔ）を受ける複数のディレイ回路５１と、これらに接続されて設けられる複数のアンプ回路５２と、これらのアンプ回路５２の出力を受ける加算器５３とを有している。
【００４２】
更に、レベルデテクタ２０は、理想波形生成器１９からの理想波形信号Ｉ（Ｔ）で所望の参照レベル（本実施例ではＬＶ０及びＬＶ６）が出力されたタイミングでゲート信号Ｔを出力する。
【００４３】
このような構成により、理想波形生成器１９は、ビタビ復号器１８からの復号信号Ｄ（Ｔ）とＰＲ（１，２，２，１）特性との畳み込み積分により理想波形信号Ｉ（Ｔ）を生成して、レベルデテクタ２０へと供給する。
【００４４】
レベルデテクタ２０では、理想信号波形Ｉ（Ｔ）で参照レベルＬＶ０及びＬＶ６が出力されたタイミングでゲート信号Ｔを出力する。
【００４５】
（等化信号の振幅の最適化）
次に、上述した光ディスク装置において、本発明の第１実施形態について、図１を用いて以下に詳細に説明する。図６は、本発明に係る光ディスク装置の可変ゲインアンプにより補正される前の等化信号とビタビ復号器の参照レベルとのヒストグラムの一例を示す図、図７は、本発明の第１実施形態である光ディスク装置の可変ゲインアンプにより補正された後の等化信号とビタビ復号器の参照レベルとのヒストグラムの一例を示す図、図８は、可変ゲインアンプにより補正される前のアシンメトリな等化信号とビタビ復号器の参照レベルとのヒストグラムの一例を示す図、図９は、可変ゲインアンプにより補正された後のアシンメトリな等化信号とビタビ復号器の参照レベルとのヒストグラムの一例を示す図である。
【００４６】
第１実施形態は、等化器からの等化信号をビタビ復号の参照レベルに応じて適宜補正するべく、ヒストグラムの参照レベルＬＶ０とＬＶ６とにおける等化信号波形の拡張量がビタビ復号器の各参照レベルの差ＬＶｄとなる補正処理（増幅）を行うことで、ビット誤りが低減される情報再生装置及び情報再生方法を提供するものである。
【００４７】
等化器であるＦＩＲ（Ｆｉｎｉｔｅ  Ｉｍｐｕｌｓｅ  Ｒｅｓｐｏｎｓｅ）フィルタ１７は、図１において、パラメータ制御部１５によりタップ係数Ｃ（ｎ，Ｔ）を供給されることで、等化器特性を適応制御され、波形等化を行って等化信号Ｅｑ（Ｔ）を出力する。
【００４８】
なお、可変ゲインアンプ１６は、パラメータ制御部１５から出力されるゲイン信号Ｇ（Ｔ）に基づき、等化信号Ｅｑ（Ｔ）の信号振幅を制御し、補正後の等化信号Ｅｑｇ（Ｔ）を出力する。なお、可変ゲインアンプ１６では図示しないリミッタ部により信号振幅が制御された等化信号を所定のレベル、例えば、ＬＶ６＋１／２ＬＶｄ、ＬＶ０−１／２ＬＶｄにより飽和させる。つまり、等化信号をＬＶ６＋１／２ＬＶｄを上限、ＬＶ０−１／２ＬＶｄを下限とするようにリミッタ処理を行う。又、この上限の値は、ＬＶ６＋ＬＶｄ、ＬＶ０−ＬＶｄであってもよく、他の適当な値であってもよい。
第１実施形態においては、後段のビタビ復号器１８での参照レベルの最大値ＬＶｍａｘ、最小値ＬＶｍｉｎ、ビタビ復号器１８の各参照レベルの差をＬＶｄとすると、ＦＩＲフィルタ部１７から出力され可変ゲインアンプ１６で補正された等化信号Ｅｑｇ（Ｔ）をＬＶｍａｘ  ＋１／２ＬＶｄ及びＬＶｍｉｎ  −１／２ＬＶｄで飽和させる。又、リミッタ部を用いなくても、例えば再生信号のＡＤ変換部におけるダイナミックレンジを制御することで再生信号を飽和させることができる。
【００４９】
ここで、パラメータ制御部１５は、図３に示すように上述した構成を有しており、補正された等化信号Ｅｑｇ（Ｔ）、復号データＤ（Ｔ）とプリアンプ１２から出力される再生信号Ｒｆ（Ｔ）を用いて、ＰＲＭＬ信号処理部の等化器であるＦＩＲフィルタ１７のタップ係数Ｃ（ｎ，Ｔ）や可変ゲインアンプ１６のゲイン信号Ｇ（Ｔ）を生成する。
【００５０】
すなわち、パラメータ制御部１５では、図３において、復号データＤ（Ｔ）を用いて理想信号生成器１９により理想信号Ｉ（Ｔ）を得て、理想信号Ｉ（Ｔ）のタイミングに応じたゲート信号Ｔを用いてセレクタ部６２により、補正後の等化信号Ｅｑｇ（Ｔ）のうち参照レベルＬＶｍａｘ，ＬＶｍｉｎに対応する補正後の等化信号のレベルＬＰ（ｍａｘ，Ｔ），ＬＰ（ｍｉｎ，Ｔ）に弁別され、補正後の等化信号ＬＰ（ｍａｘ，Ｔ），ＬＰ（ｍｉｎ，Ｔ）は、平均値算出部６３により平均化され、各々の差分を取ることにより振幅情報Ａ（Ｔ）を得て、振幅情報Ａ（Ｔ）に応じて、ゲイン算出器６５により可変ゲインアンプ１６に供給すべきゲイン信号Ｇ（Ｔ）が生成される。
【００５１】
ここで、ゲイン算出器６５でのゲイン算出方法について述べる。ここでは、補正後の等化信号ＬＰの最大値ＬＰ（ｍａｘ，Ｔ）及び補正後の等化信号ＬＰの最小値ＬＰ（ｍｉｎ，Ｔ）は、それぞれ、
ＬＰ（ｍａｘ，Ｔ）＝ＬＶｍａｘ  ＋ＬＶｄ                ……  （１）
ＬＰ（ｍｉｎ，Ｔ）＝ＬＶｍｉｎ  −ＬＶｄ                    ……  （２）
となるようにゲイン信号Ｇ（Ｔ）を計算する。
【００５２】
ここで、等化器であるＦＩＲフィルタ１７の出力Ｅｑ（Ｔ）の一例が図６のヒストグラムにより示されている。等化信号の複数のピークレベルであるピークレベルＬＰ２及びＬＰ４は、再生信号に含まれる雑音等の影響により等化器を適応制御した後であっても、参照レベルＬＶ２及びＬＶ４に対応した値となっていないため、後のビタビ復号器１８において、ビット誤りを発生し易い状況にある。
【００５３】
そこで上述したゲイン信号Ｇ（Ｔ）に応じた補正が等化信号Ｅｑ（Ｔ）に施されることにより得られた補正後の等化信号Ｅｑｇ（Ｔ）の一例が図７のヒストグラムにより示されている。この補正により、補正後の等化信号の複数のピークレベルＬＰ２’及びＬＰ４’は、補正前と比較して参照レベルＬＶ２及びＬＶ４により近い値となったため、後のビタビ復号器１８においてビット誤りを起こし易い状態は解消され、これにより、より信頼性の高いビタビ復号処理を行うことが可能となる。
【００５４】
なお、補正量αを図７におけるＰ６とＰ６−１との差、Ｐ０とＰ０−１との差と規定すると、第１実施形態では、補正量αは、ビタビ復号器１８の各参照レベルの差ＬＶｄであるが、後述する実施形態においては、これ以外の値をとるものである。
【００５５】
・等化信号にアシンメトリが生じている場合
又、ＦＩＲフィルタ１７の出力Ｅｑ（Ｔ）は、必ずしもシンメトリな分布をとるとは限らず、図８に示すようにアシンメトリな分布をとる場合がある。この場合は、上述した式（１）、式（２）を同時に満たすことはできない。このような場合には、
ＬＰ（ｍａｘ，Ｔ）−１／２（ＬＰ（ｍａｘ，Ｔ）＋ＬＰ（ｍｉｎ，Ｔ））＜ＬＰ（ｍｉｎ，Ｔ）−１／２（ＬＰ（ｍａｘ，Ｔ）＋ＬＰ（ｍｉｎ，Ｔ））      ……（３）
を満たす場合は、式（１）を満たすようにゲイン信号を出力し、
ＬＰ（ｍａｘ，Ｔ）−１／２（ＬＰ（ｍａｘ，Ｔ）＋ＬＰ（ｍｉｎ，Ｔ））＞ＬＰ（ｍｉｎ，Ｔ）−１／２（ＬＰ（ｍａｘ，Ｔ）＋ＬＰ（ｍｉｎ，Ｔ））      ……（４）
を満たす場合は、式（２）を満たすようにゲイン信号を出力する。
【００５６】
すなわち、式（３）を満たす場合とは、図８に示すように、ＬＶ３乃至ＬＶ６に対応する側の等化信号のレベル分布が密であり、ＬＶ０乃至ＬＶ３に対応する側の等化信号のレベル分布が疎である場合であり、この場合は、図９に示すように、
ＬＰ（ｍａｘ，Ｔ）＝ＬＶｍａｘ  ＋ＬＶｄ              ……（１）
が満たされるように、ゲイン信号Ｇ（Ｔ）を決定する。このとき、参照レベルＬＶ０側の補正量α’は、任意の値をとることとなる。
【００５７】
反対に、式（４）を満たす場合とは、図８に示すように、ＬＶ３乃至ＬＶ６に対応する側の等化信号の分布が疎であり、ＬＶ０乃至ＬＶ３側の等化信号のレベル分布が密である場合であり、この場合は、
ＬＰ（ｍｉｎ，Ｔ）＝ＬＶｍｉｎ  −ＬＶｄ、                ……（２）
が満たされるように、ゲイン信号Ｇ（Ｔ）を決定する。このとき、参照レベルＬＶ６側の補正量は、任意の値をとることとなる。
【００５８】
このように、補正前の等化信号Ｅｑ（Ｔ）がアシンメトリである場合、ヒストグラムの中央から分布が密である側の等化信号Ｅｑ（Ｔ）のピークレベルが、参照レベルから算出される補正後のピークレベルに対応するようにゲイン信号Ｇ（Ｔ）を決定することにより、後段のビタビ復号処理をより確実に行うことができる。
【００５９】
＜第２実施形態＞
第２実施形態は、等化器からの最短マーク・スペースの等化信号のピークレベル（ＬＰ２，ＬＰ４）がビタビ復号の最短マーク・スペースの参照レベル（ＬＶ２，ＬＶ４）の電位に対応するように、等化信号に補正処理を施すことにより、ビット誤りが低減される情報再生装置及び情報再生方法を提供するものである。図１０は、本発明の第２実施形態である光ディスク装置のパラメータ制御部１５の一例を示すブロック図、図１１は、可変ゲインアンプにより補正された後の等化信号とビタビ復号器の参照レベルとのヒストグラムの一例を示す図である。
【００６０】
ここで、パラメータ制御部１５は、図１０に示すように、補正された等化信号Ｅｑｇ（Ｔ）、復号データＤ（Ｔ）とプリアンプ１２から出力される再生信号Ｒｆ（Ｔ）を用いて、ＰＲＭＬ信号処理部の等化器であるＦＩＲフィルタ１７のタップ係数Ｃ（ｎ，Ｔ）や可変ゲインアンプ１６のゲイン信号Ｇ（Ｔ）を生成する。
【００６１】
すなわち、パラメータ制御部１５は、図１０において、復号データＤ（Ｔ）を用いて理想信号生成器１９により理想信号Ｉ（Ｔ）を得て、理想信号Ｉ（Ｔ）のレベルに応じてセレクタ部６２により、等化器からの最短マーク・スペースの補正後の等化信号ＬＰ（ｘ２，Ｔ），ＬＰ（ｘ１，Ｔ）に弁別され、補正後の等化信号ＬＰ（ｘ２，Ｔ），ＬＰ（ｘ１，Ｔ）は、平均値算出部６３により平均化され、各々の差分を取ることにより振幅情報Ａ（Ｔ）を得て、振幅情報Ａ（Ｔ）に応じて、ゲイン算出器６５により可変ゲインアンプ１６に供給すべきゲイン信号Ｇ（Ｔ）が生成される。
【００６２】
ここで、ゲイン算出器６５でのゲイン算出方法について述べる。第２実施形態でのパラメータ制御部１５中のゲイン適応制御部では、第１実施形態で検出されたビタビ復号器１８の参照レベルの最大・最小値に対応する再生信号（ＬＰ（ｍａｘ，Ｔ），ＬＰ（ｍｉｎ，Ｔ））に代わって、最短マーク・スペースの振幅に対応する再生信号レベル（ＬＰ（ｘ２，Ｔ），ＬＰ（ｘ１，Ｔ））がレベルデテクタ２０において検出される。検出された再生信号レベル（ＬＰ（ｘ２，Ｔ），ＬＰ（ｘ１，Ｔ））は、各々の差分を取ることにより振幅情報Ａ（Ｔ）を得る。そして、振幅情報Ａ（Ｔ）に応じて、ゲイン算出器６５により可変ゲインアンプ１６に供給すべきゲイン信号Ｇ（Ｔ）が生成される。
【００６３】
ここで、最短マーク・スペースの振幅に対応するビタビ復号器１８での理想信号レベルをＬＶ（ｘ１）、ＬＶ（ｘ２）（ＬＶ（ｘ１）＜ＬＶ（ｘ２））とする。このとき、
ＬＰ（ｘ１）＝ＬＶ（ｘ１）                              ……（５）
ＬＰ（ｘ２）＝ＬＶ（ｘ２）                              ……（６）
となるように図１０で示すパラメータ制御部１５のゲイン算出器６５において、ゲイン信号Ｇ（Ｔ）を計算し出力する。
【００６４】
ここで、図１１において、ＬＰ（ｘ１）は補正後の等化信号ＬＰ２’であり、ＬＰ（ｘ２）は補正後の等化信号ＬＰ４’である。すなわち、ゲイン算出器６５の補正処理により、図６のピークレベルＬＰ２及びＬＰ４は、図１１に示すように、補正後の等化信号の複数のピークレベルＬＰ２’及びＬＰ４’となり、参照レベルＬＶ２及びＬＶ４にほぼ等しい値となったため、後のビタビ復号器１８においてビット誤りが発生し易い状態は解消され、これにより、より信頼性の高いビタビ復号処理を行うことが可能となる。
【００６５】
なお、第２実施形態においても、第１実施形態と同様に、図８に示すように、再生信号にアシンメトリが生じている場合には、信号レベル方向の密の側のみの値を用いてゲイン信号を出力することにより、より確実な復号処理を行うことが可能となる。
又、第２実施形態においても、可変ゲインアンプ１６では、ＬＶｍａｘ  ＋１／２×ＬＶｄ、ＬＶｍｉｎ  −１／２×ＬＶｄでＦＩＲフィルタ部１７が出力する等化信号を飽和させることが好適である。
【００６６】
＜第３実施形態＞
第３実施形態は、等化器からの最短マーク・スペースの更に一つ外側の等化信号のピークレベル（ＬＰ１，ＬＰ５）の値が参照レベル（ＬＶ１，ＬＶ５）の値に対応するように、等化信号に補正処理を施すことにより、復号誤りが低減される情報再生装置及び情報再生方法を提供するものである。図１２は、本発明の第３実施形態である光ディスク装置のパラメータ制御部１５の一例を示すブロック図、図１３は、可変ゲインアンプにより補正された後の等化信号とビタビ復号器の参照レベルとのヒストグラムの一例を示す図である。
【００６７】
第３実施形態においては、第２実施形態と異なり、更に、外側の等化信号のピークレベル（ＬＰ１，ＬＰ５）の値が参照レベル（ＬＶ１，ＬＶ５）の値にほぼ等しくなるように、等化信号に補正処理が施されることになる。図１２に示すパラメータ制御部１５中のレベルデテクタ２０から出力されたゲート信号に応じて取得され、ディレイ回路６１により遅延され補正された等化信号であるＬＰ（ｘ２＋１，Ｔ）、（ｘ２−１，Ｔ）、ここでは（ＬＰ５）、（ＬＰ１）がセレクタ６２により弁別される。すなわち、一般式で表した時、最短マーク・スペースの振幅＋１の参照レベルに対応する再生信号レベルを検出し、
ＬＰ（ｘ１−１）＝ＬＶ（ｘ１−１）                  ……（７）
ＬＰ（ｘ２＋１）＝ＬＶ（ｘ２＋１）                  ……（８）
となるようにゲイン信号Ｇ（Ｔ）を計算する。
【００６８】
このように、上述した第２実施形態の場合と同様に、パラメータ制御部１５のゲイン算出部６５によりゲイン信号Ｇ（Ｔ）が求められるが、第三実施形態では、図１２に示すように、セレクタ６２により弁別される信号が等化信号ＬＰ（ｘ２＋１，Ｔ），  ＬＰ（ｘ２−１，Ｔ）であることが、図１０の場合とは異なる。
【００６９】
これにより、計算されたゲイン信号Ｇ（Ｔ）に応じて、等化信号Ｅｑ（Ｔ）は補正後の等化信号Ｅｑｇ（Ｔ）に補正され、この結果、図６で示したピークレベルＬＰ１及びＬＰ５は、図１３で示したピークレベルＬＰ１’及びＬＰ５’へと補正されるため、後のビタビ復号器１８において誤ビットを発生する状態は解消され、これにより、信頼性の高いビタビ復号処理を行うことが可能となる。
【００７０】
なお、再生信号にアシンメトリが生じている場合には、第１実施形態及び第２実施形態で示したように、ヒストグラム中央からみて密となる側の領域のピークレベルが参照レベルと一致するように、全体のゲイン信号Ｇ（Ｔ）を決定することが好適である。
【００７１】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００７２】
例えば、上記の実施形態では簡単のため、ゲイン制御のために等化器とは別の可変ゲインアンプ１６を設けて制御を行うものとして説明したが、等化器単体によってもゲイン制御を兼ねることが可能であるため、等化器によってゲイン制御させることも可能である。
【００７３】
又、上記の実施形態では、ビタビ復号において、ＰＲ（１，２，２，１）の場合を用いて説明したが、本発明はこれに限るものではなく、例えば、ＰＲ（１，２，２，２，１）、ＰＲ（１，１，１，１）、ＰＲ（１，２，１）、ＰＲ（３４４３）の場合でも、同等の趣旨で同等の作用効果を有するものである。
又、上記の実施形態では、光ディスク装置を例にとって説明したが、本発明はこの実施形態に限定されるものではなく、他の記録媒体を対象としたものであっても同等の趣旨により同等の作用効果を有するものである。
【００７４】
【発明の効果】
以上、詳細に説明したように本発明によれば、パーシャルレスポンス等化による等化器からの等化信号の信号振幅を適切に補正することにより、ビット誤り率を改善して、より信頼性の高い復号処理を行うことができる情報再生装置及び情報再生方法を提供するものである。
【図面の簡単な説明】
【図１】本発明に係る光ディスク装置の要部の一例を示すブロック図。
【図２】本発明に係る光ディスク装置の一例を示すブロック図。
【図３】本発明に係る光ディスク装置のパラメータ制御部の一例を示すブロック図。
【図４】本発明に係る光ディスク装置のＦＩＲフィルタとビタビ復号器との一例を示すブロック図。
【図５】本発明に係る光ディスク装置の理想波形生成器とレベルデテクタとの一例を示すブロック図。
【図６】本発明に係る光ディスク装置の可変ゲインアンプにより補正される前の等化信号とビタビ復号器の参照レベルとのヒストグラムの一例を示す図。
【図７】本発明の第１実施形態である光ディスク装置の可変ゲインアンプにより補正された後の等化信号とビタビ復号器の参照レベルとのヒストグラムの一例を示す図。
【図８】本発明の第１実施形態である光ディスク装置の可変ゲインアンプにより補正される前のアシンメトリな等化信号とビタビ復号器の参照レベルとのヒストグラムの一例を示す図。
【図９】本発明の第１実施形態である光ディスク装置の可変ゲインアンプにより補正された後のアシンメトリな等化信号とビタビ復号器の参照レベルとのヒストグラムの一例を示す図。
【図１０】本発明の第２実施形態である光ディスク装置のパラメータ制御部１５の一例を示すブロック図。
【図１１】本発明の第２実施形態である光ディスク装置の可変ゲインアンプにより補正された後の等化信号とビタビ復号器の参照レベルとのヒストグラムの一例を示す図。
【図１２】本発明の第３実施形態である光ディスク装置のパラメータ制御部１５の一例を示すブロック図。
【図１３】本発明の第３実施形態である光ディスク装置の可変ゲインアンプにより補正された後の等化信号とビタビ復号器の参照レベルとのヒストグラムの一例を示す図。
【符号の説明】１２…プリアンプ、１５…パラメータ制御部、１６…可変ゲインアンプ、１７…ＦＩＲフィルタ、１８…ビタビ復号器、１９…理想波形生成器。
【図１】
2004234785.tif 000003
【図２】
2004234785.tif 000004
【図３】
2004234785.tif 000005
【図４】
2004234785.tif 000006
【図５】
2004234785.tif 000007
【図６】
2004234785.tif 000008
【図７】
2004234785.tif 000009
【図８】
2004234785.tif 000010
【図９】
2004234785.tif 000011
【図１０】
2004234785.tif 000012
【図１１】
2004234785.tif 000013
【図１２】
2004234785.tif 000014
【図１３】
2004234785.tif 000015